(57)【要約】吸引流れ抵抗器（１０）は、入口（１２）および出口（１４）を備える。ハウジング（１６）は、入口（１２）および出口（１４）に接続される。一連の間隔を空けた板（１８）は、入口（１２）と出口（１４）との間に配置される。壁（１８）、ならびに入口（１２）および出口（１４）は、ハウジング（１６）とともに、複数の吸引流れチャンバ（２２）を規定する。吸引物が入口（１２）から出口（１４）へと流れるのに従い、各壁（１８）において吸引物の流れの圧力減少が生じ、吸引物の流れに対する抵抗を提供する。
2006501024.tif 000002
【特許請求の範囲】
【請求項１】
吸引流れ抵抗器であって、該吸引流れ抵抗器は、以下：
入口および出口；
該入口および該出口に接続されているハウジング
該入口と該出口との間に配置される一連の間隔を空けた壁であって、ここで、吸引物が該壁を通って流れることを可能にするため、各壁は少なくとも１つの開口部を有する、間隔を空けた壁、
を備え；
ここで、該壁、ならびに該入口および該出口は、該ハウジングとともに、複数の吸引流れチャンバを規定し、その結果、吸引物が該入口から該出口へと流れるのに従い、各壁において該吸引物の流れの圧力減少が生じ、それによって吸引物の流れに対する抵抗を提供する、
吸引流れ抵抗器。
【請求項２】
請求項１に記載される抵抗器であって、前記開口部が、前記入口および前記出口の断面積と少なくとも同程度の大きさの断面積を有し、その結果、前記吸引物が、該抵抗器内に詰まらない、抵抗器。
【請求項３】
前記抵抗器が、吸引流れ収集カセット内に形成される、請求項１に記載される抵抗器。
【請求項４】
前記抵抗器が、所定の長さの吸引管中に形成される、請求項１に記載される抵抗器。
【請求項５】
眼科手術システムであって、該眼科手術システムは、以下：
手術制御操作卓；
洗浄装置；
眼に手術操作を行うための手術器具であって、該器具は、該洗浄装置に接続され、かつ該操作卓によって制御される、手術器具；
該手術器具に接続される吸引装置であって、該眼から該吸引装置と結合している収集カセットへ流体および組織を吸引するための、吸引装置；ならびに、
該吸引装置と該手術器具との間に接続された吸引流れ抵抗器であって、該抵抗器は以下：
入口および出口；
該入口および該出口に接続されているハウジング；
該入口と該出口との間に配置される一連の間隔を空けた壁であって、ここで、吸引物が該壁を通って流れることを可能にするため、各壁は少なくとも１つの開口部を有する、間隔を空けた壁、
を備え；
ここで、該壁、ならびに該入口および該出口は、該ハウジングとともに、複数の吸引流れチャンバを規定し、その結果、吸引物が該入口から該出口へと流れるのに従い、各壁において該吸引物の流れの圧力減少が生じ、それによって吸引物の流れに対する抵抗を提供する、
吸引流れ抵抗器、
を備える、眼科手術システム。
【請求項６】
請求項５に記載されるシステムであって、前記開口部が、前記入口および前記出口の断面積と少なくとも同程度の大きさの断面積を有し、その結果、前記吸引物が、前記抵抗器内に詰まらない、システム。
【請求項７】
前記抵抗器が、吸引流れ収集カセット内に形成される、請求項５に記載されるシステム。
【請求項８】
前記抵抗器が、所定の長さの吸引管中に形成される、請求項５に記載されるシステム。
【請求項９】
吸引流れ抵抗器であって、該吸引流れ抵抗器は、以下：
入口および出口；
該入口および該出口に接続されている細長ハウジング；
該ハウジング内に含まれる一連の間隔を空けた環；
を備え、
ここで、複数の吸引流れチャンバが形成され、それによって、吸引物が該入口から該出口へと各環を通って流れるのに従い、各環において該吸引物の流れの圧力減少が生じ、それによって吸引物の流れに対する抵抗を提供する、
吸引流れ抵抗器。
【請求項１０】
請求項９に記載される抵抗器であって、各環が、前記入口および前記出口の断面積と少なくとも同程度の大きさの断面積を有する開口部を有し、それによって、前記吸引物が、該抵抗器内に詰まらない、抵抗器。
【請求項１１】
前記抵抗器が、吸引流れ収集カセット内に形成される、請求項９に記載される抵抗器。
【請求項１２】
前記抵抗器が、所定の長さの吸引管中に形成される、請求項９に記載される抵抗器。
【発明の詳細な説明】
【技術分野】
【０００１】
（本発明の背景）
（１．本発明の分野）
本発明は、手術、特に眼科手術中に、吸引物（ａｓｐｉｒａｎｔ）の流れを制御するための装置に関する。特に、本発明は、各チャンバにおいて吸引物の流れの圧力減少をもたらして、吸引物の流れの抵抗を増大させるための、複数の吸引流れチャンバを形成する装置に関する。
【背景技術】
【０００２】
（２．関連技術の記載）
眼の手術、特に白内障手術の間、外科医は、患者の眼に使用される減圧もしくは吸引の量と、外科手術中に起こり得る事象に対して外科医が反応しなければならない時間との間で、緊張を経験する。外科医は、代表的に、白内障に対してより高い保持力をもたらすため、高い減圧レベルを好む。しかし、これらのより高い減圧は、吸引路に事象（例えば、閉塞）が起こった場合、外科医による速い反応時間を必要とする結果となる。吸引レベルがより高くなるほど、より急速に事象が起こり、重大な問題の可能性（例えば、嚢包（ｃａｐｓｕｌａｒ  ｂａｇ）が破れる可能性）が増大する。
【０００３】
吸引物の液流に対する抵抗を増加させて、外科医が、より遅い反応時間で、より高い減圧レベル（すなわち、より高い保持力）を使用することを可能にするための、既知の装置がある。これらの装置は、手術上の事象に反応するためのより多く時間を外科医に提供すること（これは、吸引物の流れに対する抵抗なしでは不可能である）によって、外科医が、危険性を限定もしくは最小化させながら、より高い減圧レベルの利益を受けることに役立つ。コイル状の管は流動抵抗を増加させる。曲管を貫流するのに従って流体の圧力は低下するため、一連のコイル状の曲管に流体を貫流させることによって、抵抗の増加が達成されると主張されている。しかし、コイル状の環の弱点は、その楕円形の横断面およびその管に生じ得る湾曲したねじれ（ｂｅｎｔ  ｋｉｎｋ）に起因して、吸引物がコイル内に詰まる機会が増加することである。
【０００４】
吸引物の流れに対する抵抗を増加させる別の装置は、廃棄物を収集する詰まりのない開口部であり、一般にファコガード（ｐｈａｃｏ−ｇｕａｒｄ）と呼ばれる。このファコガードは、小さい開口部へと漏斗状に縮小する大きな断面積のフィルターである。これは、フィルターの詰まりを制限することを可能にし、そして全フィルター領域が詰まらないという仮定に基づく。しかし、フィルターは依然として詰まり得る。
【０００５】
したがって、簡単に製造でき、かつ手術器具と吸引物収集カセットとの間の多くの異なる位置に組み込まれ得る吸引流れ抵抗器を有することは、都合がよい。
【発明の開示】
【課題を解決するための手段】
【０００６】
（好ましい実施形態の詳細な説明）
図１は、本発明による吸引流れ抵抗器１０である。抵抗器１０は、入口１２および出口１４を備える。ハウジング１６は、この入口１２および出口１４に接続され、一連の間隔を空けた壁１８は、この入口１２と出口１４との間に配置され、ここで、各壁１８は、吸引物が、この壁１８を通ってこの入口から出口まで流れるようにさせるため、少なくとも１つの開口部２０を有する。好ましくは、抵抗器１０は、金属、プラスチック、もしくは眼科手術のための他の適切な材料で形成され得る。
【０００７】
この壁１８、ならびにこの入口および出口１４は、このハウジング１６とともに、複数の吸引流れチャンバ２２を規定し、それによって、吸引物がこの入口１２からこの出口１４へと流れるのに従い、各壁１８においてこの吸引物の流れの圧力減少が生じ、それによって、抵抗器１０は、吸引物の流れに対する抵抗を提供する。吸引物の流れは、矢印２４で示され、そして各壁１８、および特に開口部２０において、吸引物の流れの圧力増加が経験される。
【０００８】
開口部２０は、好ましくは、この入口１２およびこの出口１４の断面積と少なくとも同程度の大きさの断面積を有し、それによって、吸引物２６が、この抵抗器１０の中に詰まらない。
【０００９】
上記の抵抗器１０は、いくつかの異なる形態を取り得る。これは、管の全長か、もしくはそれらの一部のみかのいずれかに従って、所定の長さの手術用吸引管中に形成され得る。より多くの吸引流れチャンバ２２が形成されるほど、吸引物の流れに対するより大きな抵抗が実現される。
【００１０】
図２は、図１の好ましい実施形態の正面図である。ここで、壁１８の各々は、ハウジング１６に備わる一連の間隔を空けた環（ｓｐａｃｅｄ  ｒｉｎｇ）である。
【００１１】
図３は、手術制御操作卓３０、洗浄装置３２、手術器具３４、および一般的に３６で示される吸引装置を備える眼科手術システム２８を示す。手術用洗浄装置３２は、瓶３８から管４０を通って手術器具３４および最終的には眼４２まで、洗浄流体を提供する。器具３４は、代表的に、当該分野で周知の様式で操作卓３０によって制御され、そして操作卓３０は、好ましくは、Ｂａｕｓｃｈ  ＆  Ｌｏｍｂ  Ｉｎｃｏｒｐｏｒａｔｅｄから入手可能な、ＭｉｌｌｅｎｎｉｕｍＴＭ  Ｍｉｃｒｏｓｕｒｇｉｃａｌ  Ｓｙｓｔｅｍである。吸引装置３６は、管４４を通じて手術器具３４に接続され、そして吸引物の流体および組織は、眼４２から、吸引装置３６と一体化した収集カセット４６に流れる。吸引流れ抵抗器４８（上記の図１に記載されたものと同様）は、吸引装置３６と手術器具３４との間に接続される。上記のように、吸引流れ抵抗器４８は、標準的な手術用の管４４に置き換わる所定の長さの手術用の吸引管であり得る。
【００１２】
図４は、収集カセット５０を示し、これは、このカセット５０内に形成された吸引流れ抵抗器５２を有する。吸引流れ抵抗器５２は、上記図１に記載されたものと同様であり、この中で、このカセット５０への吸引流れに対する抵抗を増加させるため、開口部５６を有する複数の間隔を空けた壁もしくは環５４が組み合って複数の吸引流れチャンバ５８を形成する。
【００１３】
このように、新規の吸引流れ抵抗器が示され、記載された。添付された本発明の特許請求の範囲内における他の変動は、当業者にとって明白である。
【図面の簡単な説明】
【００１４】
【図１】図１は、本発明による吸引流れ抵抗器の横断面である。
【図２】図２は、本発明による吸引流れ抵抗器の正面図である。
【図３】図３は、本発明による眼科手術システムの図である。
【図４】図４は、本発明の吸引物収集カセットの、部分切断側面図である。
【図１】
2006501024.tif 000003
【図２】
2006501024.tif 000004
【図３】
2006501024.tif 000005
【図４】
2006501024.tif 000006
【国際調査報告】
2006501024.tif 000007
2006501024.tif 000008
2006501024.tif 000009